(57)【要約】【課題】  アンテナケーブルのケーブルロスを低減でき、かつ、通信機本体内部基板上に実装された部品から発せられる電気的ノイズなどの影響を低減することが可能な携帯通信機のアンテナ取付構造を提供する。【解決手段】  内蔵アンテナ基板１０のアンテナパターン１１の形成面が本体内部基板３２の部品実装面に対し、反対側に位置するように配置される構成になっているから、内蔵アンテナ基板１０の基体である誘電体の肉厚分アンテナパターン１１と本体内部基板３２との距離を相対的に離すことができ、本体内部基板３２上の実装部品からの電気的ノイズの影響を内蔵アンテナ基板１０の基体である誘電体によって遮蔽することができる。【選択図】      図１
2005268899.tif 000002
【特許請求の範囲】
【請求項１】
内蔵アンテナ基板を備えた携帯通信機のアンテナ取付構造において、前記内蔵アンテナ基板を通信機本体内部基板と向い合わせて設置し、更に、前記内蔵アンテナ基板のアンテナパターン形成面が前記通信機本体内部基板の部品実装面に対し、反対側に位置するように配置されていることを特徴とする携帯通信機のアンテナ取付構造。
【発明の詳細な説明】
【技術分野】
【０００１】
本発明は、携帯無線機、その他、携帯電話機、コードレス電話機、トランシーバなどの、内蔵アンテナ基板を備えた携帯通信機のアンテナ取付構造に関するものである。
【背景技術】
【０００２】
従来の携帯無線機のアンテナ取付構造では、図４に示すように、内蔵アンテナとしてホイップアンテナ１００を使用し、ホイップアンテナ１００を携帯無線機本体３００の筐体（ケース）の内部にビス止め、または、嵌合爪による係り止め手段などを用いて固定した後、ホイップアンテナ１００のＲＦケーブル１０１の先端に取り付けられたアンテナコネクタ１０２を無線機本体内部に配置した本体内部基板２００に実装されたアンテナコネクタ２０１に嵌合することにより、ホイップアンテナ１００と本体内部基板２００との電気的な導通を取るようになっている。
【０００３】
しかし、ホイップアンテナを使用する場合、アンテナ自体に構造上の制約があるため、無線機本体の構成の簡略化、小型化が極めて困難であった。また、ホイップアンテナ１００と本体内部基板２００との電気的接続をＲＦケーブル１０１を用いて行うため、ＲＦケーブル１０１のケーブルロスにより無線特性が悪化するという問題があった。
【０００４】
そこで、図５に示すように、無線機本体内部に配置した本体内部基板４００の一部に直接アンテナパターン４０１を印刷によって形成し、アンテナと本体内部基板を一体化することにより、ケーブルロスによる無線特性の悪化を防止するように工夫している。
【０００５】
しかし、このような構成では、直接本体内部基板４００上にアンテナパターンを印刷するため、机上設計時のアンテナ特性と、試作時における実機でのアンテナ特性に相違が生じた場合、半田などを使って応急的にパターンの修正を行うことは可能であるが、基板の再設計をすることなく、パターンそのものを変更することは不可能である。
【０００６】
また、近年の携帯無線機のように、無線機本体の小型化に伴って、本体内部基板４００上の実装部品とアンテナパターン４０１までの距離が十分に確保できなくなり、前記実装部品から発せられる電気的ノイズなどの影響で、アンテナ特性を劣化させるという問題がある。
【０００７】
そこで、従来の内蔵アンテナ素子を装備した携帯通信機のアンテナ取付構造においては、内蔵アンテナ素子としての、平面的な扁平アンテナ素子を通信機本体の外表面に形成した扁平凹部内で、その底部と扁平凹部を覆う化粧板との間に収納すると共に、通信機本体に、内部導通用の連通孔を形成しており、連通孔には、基板との間を電気的に導通させるコネクタが配置されている。（例えば、特許文献１参照）。
【０００８】
【特許文献１】特開２０００−２０９０１４号公報
【発明の開示】
【発明が解決しようとする課題】
【０００９】
しかしながら、このような構成では、アンテナ素子を組み込むためにわざわざ通信機本体に扁平凹部や内部導通用の連通孔を設ける必要があり、通信機本体の形状が複雑になってしまうという問題があった。また、扁平凹部を覆うための化粧板などが必要であり、部品点数が増えてしまうという問題があった。
【００１０】
本発明は、上記実情に鑑みて為されたもので、アンテナケーブルのケーブルロスを低減でき、かつ、通信機本体内部基板上に実装された部品から発せられる電気的ノイズなどの影響を低減することが可能な携帯通信機のアンテナ取付構造を提供することを目的とする。
【課題を解決するための手段】
【００１１】
このため、本発明では、内蔵アンテナ基板を備えた携帯通信機のアンテナ取付構造において、前記内蔵アンテナ基板を通信機本体内部基板と向い合わせて設置し、更に、前記内蔵アンテナ基板のアンテナパターン形成面が前記通信機本体内部基板の部品実装面に対し、反対側に位置するように配置されていることを特徴とする。
【発明の効果】
【００１２】
内蔵アンテナ基板のアンテナパターン形成面が通信機本体内部基板の部品実装面に対し、反対側に位置するように配置されることにより、通信機本体内部基板上に実装された部品から発せられる電気的ノイズなどの影響を低減できる効果がある。
【発明を実施するための最良の形態】
【００１３】
本発明の実施の形態について図面を参照しながら説明する。
【００１４】
本発明の内蔵アンテナ基板を備えた携帯通信機のアンテナ取付構造は、内蔵アンテナ基板を通信機本体内部基板と向い合わせて設置し、更に、前記内蔵アンテナ基板のアンテナパターン形成面が前記通信機本体内部基板の部品実装面に対し、反対側に位置するように配置することにより、通信機本体内部基板上に実装された部品から発せられる電気的ノイズなどの影響を低減できるものである。
【００１５】
まず、本発明の第１の実施の形態について図１を参照して、詳細に説明する。ここでの携帯通信機は、所謂、携帯無線機であり、図１は、本発明の第１の実施の形態に係る携帯無線機のアンテナ取付構造を示す図であり、図１（ａ）は、内蔵アンテナ基板の詳細図であり、図１（ｂ）は、携帯無線機本体内部の構造を示す図である。
図１（ａ）に示すように、内蔵アンテナ基板１０は、誘電体よりなる基体に、印刷によって、片側面にはアンテナパターン１１が、また、それとは反対側の面には端子接続用パッド１２が形成されており、アンテナパターン１１と端子接続用パッド１２は誘電体内部で電気的に接続されている。
【００１６】
また、図１（ｂ）に示すように、内蔵アンテナ基板１０は、携帯無線機本体３０のフロントケース３１の内面に沿って、アンテナパターン１１の印刷面側が接するように、両面テープ、接着剤、または、嵌合爪による係止め手段などを用いて固定される。携帯無線機本体３０の組み立て時、フロントケース３１をリアケース（図示せず）に嵌合した際に、内蔵アンテナ基板１０の端子接続用パッド１２がリアケースに装着した本体内部基板３２に実装したスプリングプローブ式のコネクタ３３に当接することによって、内蔵アンテナ基板１０と本体内部基板３２とは電気的に導通が取れるようになっている。尚、ここでは電気的導通を取るためにスプリングプローブ式のコネクタ３３を使用しているが、これに代えて、圧接型のコネクタを使用しても良い。
【００１７】
このように、本発明では、仮に、携帯無線機本体３０を薄型化しても、内蔵アンテナ基板１０のアンテナパターン１１の形成面が本体内部基板３２の部品実装面に対し、反対側に位置するように配置される構成になっているから、内蔵アンテナ基板１０の基体である誘電体の肉厚分アンテナパターン１１と本体内部基板３２との距離を相対的に離すことができ、本体内部基板３２上の実装部品からの電気的ノイズの影響を内蔵アンテナ基板１０の基体である誘電体によって遮蔽することができる。
【００１８】
次に、本発明の第２の実施の形態について図２を参照して、詳細に説明する。図２は、本発明の第２の実施の形態に係る携帯無線機のアンテナ取付構造を示す図であり、図２（ａ）は、携帯無線機本体内部の構造を示す斜視図であり、図２（ｂ）は、図２（ａ）におけるＡ方向からの矢視図である。
【００１９】
ここでは、図２に示すように、第１の実施の形態に対し、内蔵アンテナ基板１０と本体内部基板３２との電気的接続方法のみが異なる。内蔵アンテナ基板１０は、片側の面にはアンテナパターン（図の上面）が形成され、それとは反対側の面には金属でできたバネ性のある接触端子を備えた導電用端子１３が半田付けされており、アンテナパターンと導電用端子１３の半田付け用パッド（図示せず）は基体である誘電体内部で電気的に接続されている。
【００２０】
一方、携帯無線機本体３０の本体内部基板３２上には、内蔵アンテナ基板１０の導電用端子１３の接触端子が当接するための端子接触用パッド３４が設けられており、携帯無線機本体３０の組み立て時、フロントケースをリアケースに嵌合した際に、フロントケースに固定された内蔵アンテナ基板１０の導電用端子１３の接触端子がリアケースに装着した本体内部基板３２の端子接触用パッド３４に当接することによって、内蔵アンテナ基板１０と本体内部基板３２とが電気的に導通される。
【００２１】
従って、第１の実施の形態と同様に、内蔵アンテナ基板１０のアンテナパターン１１の形成面が本体内部基板３２の部品実装面に対し、反対側に位置するように配置される構成になっているから、内蔵アンテナ基板１０の基体である誘電体の肉厚分アンテナパターン１１と本体内部基板３２との距離を相対的に離すことができ、本体内部基板３２上の部品からの電気的ノイズの影響を内蔵アンテナ基板１０の基体である誘電体によって遮蔽することができる。
【００２２】
次に、本発明の第３の実施の形態について図３を参照して、詳細に説明する。図３は、本発明の第３の実施の形態に係る携帯無線機のアンテナ取付構造を示す図であり、図３（ａ）は、携帯無線機本体内部の構造を示す斜視図であり、図３（ｂ）は、図３（ａ）におけるＢ方向からの矢視図である。
【００２３】
ここでは、図３に示すように、内蔵アンテナ基板１０に本体内部基板３２と半田付けを行うための端子部１４を設ける。また、本体内部基板３２には、内蔵アンテナ基板１０の端子部１４が嵌合した後、半田付けを行うためのスルーホール３５を設ける。
【００２４】
そして、本体内部基板３２の組み立てを行う際に、本体内部基板３２上に形成したスルーホール３５に内蔵アンテナ基板１０の端子部１４を挿入した後、接合面を半田付けすることによって、内蔵アンテナ基板１０と本体内部基板３２とを電気的に導通させている。ここで、図３に示すように、内蔵アンテナ基板１０は、アンテナパターン１１の印刷面が本体内部基板３２の部品実装部に対して、反対側（外側）に向くように取り付けられる。
【００２５】
従って、内蔵アンテナ基板１０のアンテナパターン１１の形成面が本体内部基板３２の部品実装部に対し、反対側に配置される構成になっているから、内蔵アンテナ基板１０の基体である誘電体の肉厚分アンテナパターン１１と本体内部基板３２との距離を相対的に離すことができ、本体内部基板３２上の部品からの電気的ノイズの影響を内蔵アンテナ基板１０の基体である誘電体によって遮蔽することができる。
【図面の簡単な説明】
【００２６】
【図１】本発明の第１の実施の形態に係る携帯無線機のアンテナ取付構造を示す図であり、図１（ａ）は、内蔵アンテナ基板の詳細図であり、図１（ｂ）は、携帯無線機本体内部の構造を示す図である。
【図２】本発明の第２の実施の形態に係る携帯無線機のアンテナ取付構造を示す図であり、図２（ａ）は、携帯無線機本体内部の構造を示す斜視図であり、図２（ｂ）は、図２（ａ）におけるＡ方向からの矢視図である。
【図３】本発明の第３の実施の形態に係る携帯無線機のアンテナ取付構造を示す図であり、図３（ａ）は、携帯無線機本体内部の構造を示す斜視図であり、図３（ｂ）は、図３（ａ）におけるＢ方向からの矢視図である。
【図４】従来の携帯無線機のアンテナ取付構造を示す図である。
【図５】従来の携帯無線機のアンテナ取付構造を示す図である。
【符号の説明】
【００２７】
１０…内蔵アンテナ基板、  １１…アンテナパターン、  １２…端子接続用パッド、  １３…導電用端子、  １４…端子部、  
３０…携帯無線機本体、  ３１…フロントケース、  ３２…本体内部基板、  ３３…コネクタ、  ３４…端子接触用パッド、  ３５…スルーホール、
１００…ホイップアンテナ、  １０１…ＲＦケーブル、  １０２…アンテナコネクタ、
２００…本体内部基板、  ２０１…アンテナコネクタ、
３００…携帯無線機本体、
４００…本体内部基板、  ４０１…アンテナパターン
【図１】
2005268899.tif 000003
【図２】
2005268899.tif 000004
【図３】
2005268899.tif 000005
【図４】
2005268899.tif 000006
【図５】
2005268899.tif 000007